(57)【特許請求の範囲】
【請求項１】
形状記憶合金又は超弾性合金等からなる湾曲形状が記憶させられて常温で湾曲した１又は２以上の線状の形状記憶部材が、パッド素地へ取付け可能な織布又は不織布からなる帯状の柔軟部材に縫合固定された肩パッド形成部品であって、
前記柔軟部材の長手方向の両端がそれぞれ折り返され、前記形状記憶部材を挟むように該柔軟部材同士が重ねられ、
縫い糸が該形状記憶部材を跨ぐように該柔軟部材の幅方向に往復しながら該柔軟部材の長手方向に沿って縫い付けられて該形状記憶部材と該柔軟部材とが縫合固定されていることを特徴とした肩パッド形成部品。
【請求項２】
形状記憶合金又は超弾性合金等からなる湾曲形状が記憶させられて常温で湾曲した１又は２以上の線状の形状記憶部材が、パッド素地へ取付け可能な織布又は不織布からなる帯状の柔軟部材に縫合固定された肩パッド形成部品の製造方法であって、
前記柔軟部材の長手方向に沿って前記形状記憶部材を配置し、
次いで、該柔軟部材の長手方向の両端を、該形状記憶部材の長手方向の端部を支点に折り返し、該形状記憶部材を挟むように該柔軟部材同士を重ね、
その後、縫い糸を該形状記憶部材を跨がせるように該柔軟部材の幅方向に往復させながら該柔軟部材の長手方向に沿って縫い付けて該形状記憶部材と該柔軟部材とを縫合固定することを特徴とした肩パッド形成部品の製造方法。
【請求項３】
請求項１記載の肩パッド形成部品が、半分に折り曲げた複数層のパッド素地の折り曲げ位置付近に挟まれて取り付けられて湾曲成形されていることを特徴とする肩パッド。
【発明の詳細な説明】
【０００１】
【産業上の利用分野】
本発明は、形状記憶合金又は超弾性合金等からなる形状記憶部材を内蔵した肩パッドを形成するための肩パッド形成部品、肩パッド形成部品の製造方法、及び肩パッドに関する。
【０００２】
【従来の技術】
従来から、衣服の形状を整えるためにパッドが使用されている。また、近年においては、形状記憶部材の内蔵されたパッドが案出されて使用されている。
【０００３】
この形状記憶部材の内蔵されたパッドの一例として、肩パッド（パッド）１を図６に示す。この肩パッド１は、複数層から成るパッド素地２の間に形状記憶部材３が内蔵されたものである。このような肩パッド１は、平面状に形成されたパッド素地２を折り曲げ、その折り曲げ位置近辺に、湾曲状の形状を記憶させられた形状記憶合金３を挟んだ後、加熱押圧して接着することにより製造することを、本出願人は先に提案している。
【０００４】
【発明が解決しようとする課題】
しかし、この肩パッド１の製造方法は、湾曲状の形状記憶合金３を平面状のパッド素地２に挟まなければならないため、湾曲状の形状記憶合金３を真直にのばしながら挟まなければならなかった。このため、製造作業が困難であった。また、針金状の形状記憶合金３を挟んだのでは、形状記憶合金３の位置がずれやすかった。このため、肩パッド１が型くずれすることがあり、品質の高い肩パッドを製造することができなかった。
【０００５】
そこで、本発明者は、このような課題を解決するべく鋭意研究した結果、本発明に到達した。
【０００６】
【課題を解決するための手段】
本発明の肩パッド形成部品の要旨とするところは、形状記憶合金又は超弾性合金等からなる湾曲形状が記憶させられて常温で湾曲した１又は２以上の線状の形状記憶部材が、パッド素地へ取付け可能な織布又は不織布からなる帯状の柔軟部材に縫合固定された肩パッド形成部品であって、
前記柔軟部材の長手方向の両端がそれぞれ折り返され、前記形状記憶部材を挟むように該柔軟部材同士が重ねられ、
縫い糸が該形状記憶部材を跨ぐように該柔軟部材の幅方向に往復しながら該柔軟部材の長手方向に沿って縫い付けられて該形状記憶部材と該柔軟部材とが縫合固定されていることにある。
【０００７】
次に、本発明の肩パッド形成部品の製造方法の要旨とするところは、形状記憶合金又は超弾性合金等からなる湾曲形状が記憶させられて常温で湾曲した１又は２以上の線状の形状記憶部材が、パッド素地へ取付け可能な織布又は不織布からなる帯状の柔軟部材に縫合固定された肩パッド形成部品の製造方法であって、
前記柔軟部材の長手方向に沿って前記形状記憶部材を配置し、
次いで、該柔軟部材の長手方向の両端を、該形状記憶部材の長手方向の端部を支点に折り返し、該形状記憶部材を挟むように該柔軟部材同士を重ね、
その後、縫い糸を該形状記憶部材を跨がせるように該柔軟部材の幅方向に往復させながら該柔軟部材の長手方向に沿って縫い付けて該形状記憶部材と該柔軟部材とを縫合固定することにある。
【０００８】
次に、本発明の肩パッドの要旨とするところは、上記の肩パッド形成部品が、半分に折り曲げた複数層のパッド素地の折り曲げ位置付近に挟まれて取り付けられて湾曲成形されていることにある。
【０００９】
【作用】
本発明の肩パッド形成部品は、形状記憶合金又は超弾性部材等からなる形状記憶部材が板状の柔軟部材に固定されている。従って、この柔軟部材を加熱溶着や縫合によってパッド素地に取付ければ、形状記憶部材を内蔵する肩パッドが製造される。板状の柔軟部材をパッド素地に取付ければ良いため、加熱溶着や縫合による取付けが容易になる。また、板状であるため、針金状の形状記憶部材をパッド素地に直接固定する従来の肩パッドと異なり、形状記憶部材の位置がずれることもなくなる。
【００１０】
また、柔軟部材が帯状であり、柔軟部材によって構成される肩パッド形成部品全体に渡って帯状である本発明の肩パッド形成部品は、全体が帯状に構成される。全体が帯状に構成されるため、パッド素地が層状に構成されている場合等に、そのパッド素地内に固定し易い。また、帯状であるため、形状記憶回復機能の必要な部分に沿って固定することが可能である。さらに、複数個の肩パッド形成部品を適宜組み合わせて、肩パッドに最適の形状記憶能力を備えさせることができる。
【００１１】
また、本発明によれば、まず形状記憶合金又は超弾性合金等からなる形状記憶部材を板状の柔軟部材に固定しておいた後、その柔軟部材をパッド素地に固定することによって、形状記憶部材が内蔵された肩パッドを形成することができる。すなわち、この点において、針金状の形状記憶部材を直接パッド素地に固定していた従来の肩パッドの製造方法と異なる。
【００１２】
【実施例】
次に、本発明に係る肩パッド形成部品と、この肩パッド形成部品を用いた肩パッドの製造方法の実施例について、図面に基づいて詳しく説明する。
【００１３】
図１及び図２において、符号１０は本発明に係る肩パッド形成部品であり、セットインスリーブ用の肩パッド１８の形成部品である。この形成部品１０は、パッド素地１２に固定可能な帯状部材（柔軟部材）１４に、１本の形状記憶部材１６が固定されて構成されている。
【００１４】
帯状部材１４は織布又は不織布から構成されており、形状記憶部材１６が縫合されて固定されている。なお、縫い方は、かがり縫いの他、まつり縫い等でも良く、特に限定されることはない。形状記憶部材１６は、形状記憶合金からなり、肩１１に当てることができるように、湾曲形状が記憶させられている。また、形状記憶部材１６の両端はパッド素地１２を破ることがないように折り曲げられている。なお、形状記憶合金の代替として超弾性合金を使用しても良い。超弾性合金とは、ゴムのような伸縮性があるとともに形状回復能力のある合金であり、例えばニッケルとチタンによる合金等である。
【００１５】
この形成部品１０は、図２に示すように、複数層のパッド素地１２を半分に折り曲げ、その折り曲げ位置付近に挟まれる。折り曲げ位置付近に挟まれると、加熱押圧装置等によって加熱押圧され、複数層のパッド素地１２が溶着される。複数層のパッド素地１２が溶着されることにより、形成部品１０がパッド素地１２に固定される。このようにして、形状記憶部材１６の内蔵された肩パッド１８が製造される。なお、形成部品１０が折り曲げ位置付近に挟まれた後、パッド素地１２を縫合することによって、形成部品１０を固定しても良い。
【００１６】
このような肩パッド１８の形成部品１０及び肩パッド１８の製造方法によれば、形状記憶部材１６の固定された帯状部材１４をパッド素地１２に固定することにより、形状記憶部材１６の内蔵された肩パッド１８を製造することができる。このため、従来のように、形状記憶部材を直接パッド素地に固定するのと異なり、パッド素地１２に固定し易くなる。また、形状記憶部材１６の固定された帯状部材１４をパッド素地１２に固定するため、形状記憶部材１６がパッド素地１２に対してずれ難くなる。このため、肩パッド１８が型くずれしないようになり、品質の高い肩パッド１８を製造することができる。
【００１７】
以上、本発明の一実施例について説明したが、本発明に係るパッド形成部品及びパッドの製造方法はその他の態様でも実施し得るものである。
【００１８】
例えば、図３に示す肩パッド形成部品２０であっても良い。この形成部品２０はラグランスリーブ用の肩パッド２８の形成部品であり、パッド素地２２に固定可能な帯状部材（柔軟部材）２４に、１本の形状記憶部材２６が固定されて構成されている。この形成部品２０は、その面方向に少し湾曲した形状に構成されており、パッド素地２２に固定してパッド素地２２を固定した時に、肩パッド２８の頂上３０付近から湾曲状に垂れる垂れ部３２が形成されるようにされており、肩パッド２８が肩２１だけでなく袖２３にまで行き渡るようにされている。
【００１９】
このような形成部品２０及び形成部品２０によるパッドの製造方法によっても、形状記憶部材２６の固定された帯状部材２４をパッド素地２２に固定することにより、形状記憶部材２６の内蔵されたラグランスリーブ用の肩パッド２８を製造することができる。また、形状記憶部材２６の固定された帯状部材２４をパッド素地２２に固定するため、形状記憶部材２６がパッド素地２２に対してずれ難くなる。このため、肩パッド２８が型くずれしないようになり、ラグランスリーブの衣服の形状を整えることができる。
【００２０】
次に、本発明に係る肩パッド形成部品は図４に示す肩パッド形成部品４０であっても良い。この形成部品４０は、形成部品１０よりも帯状部材（柔軟部材）４４の幅が広く構成されており、２本の形状記憶部材４６が帯状部材４４に固定されている。このような形成部品４０及び形成部品４０によるパッドの製造方法によっても、形成部品１０及び形成部品１０によるパッドの製造方法と略同様の効果を奏することができる。また、帯状部材４４の幅が広く構成されているため、よりずれ難くなる。
【００２１】
次に、上述した肩パッド形成部品は、肩パッドを製造する場合に１個のみ使用されることに限定されない。例えば、図５に示すように、本発明に係る肩パッド形成部品９２及び９４を、パッド素地９６へ十字状に固定しても良い。このように複数個の肩パッド形成部品を使用することにより、肩パッド９８の形状回復能力を向上させることができる。
【００２２】
以上、本発明の実施例について、図面に基づいて種々説明したが、本発明は図示した実施例に限定されるものではない。例えば、本発明の肩パッド形成部品によって製造する肩パッドは、通常の衣服用の肩パッドに限定されず、野球、ボクシング又はフットボール等のスポーツ用の肩パッドであっても良い。
【００２３】
また、肩パッドの形状は上述のものに限定されず、ワッフル形状のもの等であっても良い。また、本発明の肩パッド形成部品によって製造する肩パッドは、上述のようにセットインスリーブやラグランスリーブ用に限定されず、きものスリーブやフレンチスリーブ用であっても良い。
【００２４】
また、柔軟部材の形状は、肩パッド形成部品全体としてある程度の幅のある板状になり、パッド素地に取付け易いものであれば良い。また、本願にいう形状記憶合金又は超弾性合金等からなる形状記憶部材とは、広く形状回復能力を有する部材をいう概念であり、上述した形状記憶メッシュや形状記憶繊維の他、形状回復能力を有する材料からなる部材であれば良い。また、本発明のパッド形成部品は単体のパッドを製造するためのものに限定されず、衣服に直接取り付けて使用しても良い。その他、本発明に係る肩パッド形成部品、肩パッド形成部品の製造方法、及び肩パッドはその趣旨を逸脱しない範囲で当業者の知識に基づき種々なる改良、修正、変形を加えた態様で実施できるものである。
【００２５】
【発明の効果】
本発明の肩パッド形成部品によれば、形状記憶合金等の固定された柔軟部材をパッド素地に固定することにより、形状記憶合金等の内蔵された肩パッドを製造することができる。このため、従来のように、形状記憶合金等を直接パッド素地に固定するのと異なり、パッド素地に当てやすくなるため、パッド素地に固定し易くなる。また、形状記憶合金等の固定された帯状部材をパッド素地に固定するため、形状記憶合金等がパッド素地に対してずれ難くなる。このため、肩パッドが型くずれしないようになり、高品質の肩パッドを製造することができる。
【００２６】
また、柔軟部材が帯状であり、柔軟部材によって構成される肩パッド形成部品全体に渡って帯状である本発明の肩パッド形成部品によれば、全体が帯状に構成されるため、パッド素地が層状に構成されている場合等に、そのパッド素地内に固定し易い。また、帯状であるため、形状記憶回復機能の必要な部分に沿って固定することができる。特に、肩パッド等の湾曲形状部分に沿って容易に固定できることとなる。さらに、複数個の肩パッド形成部品を適宜組み合わせて、肩パッドに最適の形状記憶能力を備えさせることができる。
【図面の簡単な説明】
【図１】  本発明に係る肩パッド形成部品の実施例を示す図であり、同図（ａ）は正面断面図、同図（ｂ）は平面図である。
【図２】  図１に示す肩パッド形成部品を用いて製造した肩パッドを示す図であり、同図（ａ）は斜視図、同図（ｂ）は側面断面図である。
【図３】  本発明に係る肩パッド形成部品の他の実施例を示す図であり、同図（ａ）は平面図、同図（ｂ）は肩パッド形成部品を用いて製造した肩パッドを示す斜視図である。
【図４】  本発明に係る肩パッド形成部品の更に他の実施例を示す平面図である。
【図５】  本発明に係る肩パッド形成部品の更に他の実施例を示す図であり、同図（ａ）は斜視図、同図（ｂ）は平面図である。
【図６】  従来の肩パッドの製造方法を説明するための図であり、同図（ａ）は斜視図、同図（ｂ）は側面断面図である。
【符号の説明】
１０，２０，４０，９２，９４；肩パッド形成部品
１２，２２，９６；パッド素地
１４，２４，４４；帯状部材（柔軟部材）
１６，２６，４６；形状記憶部材
１８，２８，９８；肩パッド
【図１】
0003811960.tif 000002
【図２】
0003811960.tif 000003
【図３】
0003811960.tif 000004
【図４】
0003811960.tif 000005
【図５】
0003811960.tif 000006
【図６】
0003811960.tif 000007